(57)【要約】【課題】  起立姿勢をとった状態で脚部のアキレス腱、ふくろはぎの筋肉を伸展させるとともに足裏に横アーチを形成できるストレッチング用器具を提供する。【解決手段】  表面を左右方向に凸円弧状に形成するとともに前方側が後方側より高い傾斜面とした足載せ用本体２に土踏まず刺激用の突起３を設けてなる片脚用のストレッチ用基台１の２台をもって左右の脚用に組み合わせたことを特徴とする。【選択図】  図１
2006051166.tif 000002
【特許請求の範囲】
【請求項１】
表面を左右方向に凸円弧状に形成するとともに前方側が後方側より高い傾斜面とした足載せ用本体に土踏まず刺激用の突起を設けてなる片脚用のストレッチ用基台の２台をもって左右の脚用に組み合わせたことを特徴とするストレッチング用器具。
【請求項２】
足載せ用本体が竹を縦に半割りしたものにより構成し、また、土踏まず刺激用の突起を竹の節部を利用して半円弧状に形成した請求項１に記載のストレッチング用器具。
【発明の詳細な説明】
【技術分野】
【０００１】
本発明は、主に起立姿勢をとった状態で脚部のアキレス腱、ふくろはぎの筋肉を伸展させるストレッチング用器具に関するものである。
【背景技術】
【０００２】
従来、起立姿勢をとった状態で脚部のアキレス腱、ふくろはぎの筋肉を伸展させる器具としては、平板状の足載台を足指側を踵側に対して高く傾斜させたものがある（例えば、特許文献１及び特許文献２参照）。
【０００３】
しかし、前記した従来のものは、脚部のアキレス腱、ふくろはぎの筋肉を伸展させる効果や前屈運動をできるものであるが、足載台が平板状であることから、足裏は扁平状にこれと接触して歩行に不可避な横アーチを形成するための機能がないものであった。
【特許文献１】特開２０００−３１７０１３公開特許公報
【特許文献２】特開２００３−２９９７４９公開特許公報
【発明の開示】
【発明が解決しようとする課題】
【０００４】
本発明は前記のような従来の問題点を解決して、起立姿勢をとった状態で脚部のアキレス腱、ふくろはぎの筋肉を伸展させるとともに足裏に横アーチを形成できる機能を備えたストレッチング用器具を提供することである。
【課題を解決するための手段】
【０００５】
本発明のストレッチング用器具は、表面を左右方向に凸円弧状に形成するとともに前方側が後方側より高い傾斜面とした足載せ用本体に土踏まず刺激用の突起を設けてなる片脚用のストレッチ用基台の２台をもって左右の脚用に組み合わせたことを特徴とする。
【０００６】
また、前記のような発明において、足載せ用本体が竹を縦に半割りしたものにより構成し、また、土踏まず刺激用の突起を竹の節部を利用して半円弧状に形成したものとしてもよい。
【発明の効果】
【０００７】
本発明のストレッチング用器具は、片脚用のストレッチ用基台の２台を平行にフロア上に載置して、左右の足をそれぞれ指先側を足載せ用本体の前方側に踵側を足載せ用本体の後方側に位置させて該足載せ用本体に載せて起立姿勢をとれば、各足載せ用本体は前方側が後方側より高い傾斜面としたものであるから、足首が前向きに曲がり、これに対応して脚部のアキレス腱、ふくろはぎの筋肉を伸展させることとなる。
【０００８】
また、足載せ用本体は表面を左右方向に凸円弧状に形成したものであるから、この表面に接触した指先側の足裏は体重を受けてこの凸円弧状の形状に倣い横アーチ状となるので、足裏に横アーチを形成できるものである。そして、足載せ用本体に土踏まず刺激用の突起を設けているので土踏まずに心地良い刺激を受けてストレスが少なくストレッチができるものである。
【発明を実施するための最良の形態】
【０００９】
次に、本発明の好ましい実施の形態を図に基づき説明する。
図1において、１、１は片脚用のストレッチ用基台であり、各片脚用のストレッチ用基台１は表面を左右方向に凸円弧状に形成するとともに前方側が後方側より高い傾斜面とした足載せ用本体２に土踏まず刺激用の突起３を設けてなるものである。
【００１０】
前記足載せ用本体２は図示のものは竹が円筒形であることを利用して、竹を縦に半割りして構成して、表面を左右方向の凸円弧状としたものである。また、竹の節部が足裏の土踏まずの位置にくるように竹を切断することにより該節部を利用して前記土踏まず刺激用の突起３を半円弧状に形成したものである。
【００１１】
４は足載せ用本体２の前方側が後方側より高い傾斜面とする一手段として、前方側の裏面に取り付けた脚材である。この脚材４は図示のものは半割りにした竹を足載せ用本体２と直交させ、半割り側の切断面４ａを足載せ用本体２を形成する半割り側の切断面２ａと当接させたうえ接着固定して表面である凸円弧面４ｂをもってフロア面に支持させたものであるから凸円弧面４ｂの接触面が横方向に一連にフロア面に接触するので安定したものとなる。なお、脚材４は高さ調節自在としたり、前後位置を調節自在として足載せ用本体２の傾斜角度を変更できるものとしてもよい。
【００１２】
５は前方側が後方側より高い傾斜面とした足載せ用本体２に使用者が載った場合に傾斜により滑り落ちることを防止するために踵が接触する後方側表面に貼着した平ゴムよりなる滑り止め材である。さらに、前記凸円弧面４ｂのフロアとの接触面にも平ゴムよりなる滑り止め材６が貼着されている。
【００１３】
なお、前記の実施形態は足載せ用本体２を縦に半割りした竹により構成しているが、合成樹脂製、木製、金属製であっても良いことは勿論であるが、竹製とすることにより簡単な加工で容易に量産できるうえ軽量であるという利点がある。
【００１４】
このように構成されたものは、通常は片脚用のストレッチ用基台１の２台を平行にフロア上に載置して、左右の足をそれぞれ指先側を足載せ用本体２の前方側に踵側を足載せ用本体２の後方側に位置させて足載せ用本体２に載せて起立姿勢をとれば、各足載せ用本体２は前方側が後方側より高い傾斜面としたものであるから、図２に示すように足首が前向きに曲がり、これに対応して脚部のアキレス腱、ふくろはぎの筋肉を伸展させるものである。そして、図３に示すようにゆっくりと前屈を行えば、さらに背や腰の硬くなっている筋肉が伸びてほぐされて血行がよくなるものである。
【００１５】
また、足載せ用本体２は表面を左右方向に凸円弧状に形成したものであるから、この表面に接触した指先側の足裏は体重を受けてこの凸円弧状の形状に倣い横アーチ状となるので、足裏に横アーチを形成できるものであり、この横アーチを形成することにより腰に負担をかけない歩行姿勢をとることができるものとなる。さらに、足載せ用本体２に土踏まず刺激用の突起３を設けているので土踏まずに心地良い刺激を与えてストレスを感じることなくストレッチ運動ができるものである。
【００１６】
また、本発明に係るものは、２台の片脚用のストレッチ用基台１をもって左右の脚用に組み合わせたものであるから、両ストレッチ用基台１、１を図４に示すように後方側が向かい合うように内側に後方側より高い前方側を外側となるように内向き傾斜としてフロワ上に載置して、左右の足を載せれば、各脚の膝間接部分が内側に入りＯ脚を矯正できるものである。
【００１７】
さらに、両ストレッチ用基台１、１を図５に示すように後方側より高い前方側が向かい合うように内側に後方側を外側となるように外側が下向き傾斜となるようにしてフロワ上に載置して、左右の足を載せれば、各脚の膝間接部分が外側に開きＸ脚を矯正できるものである。
【図面の簡単な説明】
【００１８】
【図１】本発明の実施の形態を示す一部斜視図である。
【図２】起立姿勢の使用状態を示す側面図である。
【図３】前屈運動の使用状態を示す側面図である。
【図４】Ｏ脚を矯正するための使用状態を示す正面図である。
【図５】Ｘ脚を矯正するための使用状態を示す正面図である。
【符号の説明】
【００１９】
１  片脚用のストレッチ用基台
２  足載せ用本体
３  土踏まず刺激用の突起
【図１】
2006051166.tif 000003
【図２】
2006051166.tif 000004
【図３】
2006051166.tif 000005
【図４】
2006051166.tif 000006
【図５】
2006051166.tif 000007